(57)【要約】【課題】変倍比が５倍以上あり、解像度が高いズームレンズ系等の撮像光学系を保持するとともに、収納状態の全長が短くコンパクトなレンズ鏡筒、該レンズ鏡筒を用いる撮像装置、及び該撮像装置を備えるカメラを提供すること。【解決手段】物体の光学的な像を形成する撮像光学系を保持するレンズ鏡筒であって、前記撮像光学系が、物体からの光線を入射させる物体側レンズ群と、該物体側レンズ群から射出した光線を折り曲げる反射面を有する反射光学素子とを含み、撮像状態において、前記物体側レンズ群を物体からの光線方向に移動可能に保持し、収納状態において、撮像状態において配置される位置とは異なる退避位置に前記反射光学素子を退避させるレンズ鏡筒、該レンズ鏡筒を用いる撮像装置、及び該撮像装置を備えるカメラ。【選択図】図１
2006259685.tif 000002
【特許請求の範囲】
【請求項１】
物体の光学的な像を形成する撮像光学系を保持するレンズ鏡筒であって、
前記撮像光学系が、物体からの光線を入射させる物体側レンズ群と、該物体側レンズ群から射出した光線を折り曲げる反射面を有する反射光学素子とを含み、
撮像状態において、前記物体側レンズ群を物体からの光線方向に移動可能に保持し、
収納状態において、撮像状態において配置される位置とは異なる退避位置に前記反射光学素子を退避させる、レンズ鏡筒。
【請求項２】
反射光学素子が、物体からの軸上主光線を略９０°折り曲げる反射面を持つ、請求項１に記載のレンズ鏡筒。
【請求項３】
撮像光学系が、
反射光学素子よりも物体側に配置される物体側レンズ群と、
反射光学素子よりも像側に配置される像側レンズ群とを含み、
収納状態において、撮像状態において反射光学素子が配置されていた空間に前記物体側レンズ群の少なくとも一部を移動させる、請求項１に記載のレンズ鏡筒。
【請求項４】
反射光学素子が、反射前の物体からの軸上主光線に直交する方向に退避する、請求項１に記載のレンズ鏡筒。
【請求項５】
反射光学素子が、反射前の物体からの軸上主光線に直交する方向であって、撮像光学系の像側へ退避する、請求項４に記載のレンズ鏡筒。
【請求項６】
撮像光学系が、物体側から像側へと順に、
正のパワーを有する第１レンズ群と、
負のパワーを有し、物体側から像側へと順に、像側によりパワーの強い面を持つ負メニスカス形状のレンズ素子と、反射光学素子と、後続する少なくとも１つのレンズ素子とを含む第２レンズ群と、
後続する少なくとも１つの後続レンズ群とを含むズームレンズ系である、請求項１に記載のレンズ鏡筒。
【請求項７】
撮像光学系が以下の条件（１）を満足する、請求項６に記載のレンズ鏡筒：
０．５０＜ΣＤ／ΣｄAIR＜１．００  ・・・（１）
ここで、
ΣＤ：第２レンズ群と、第２レンズ群よりも像側にあってズーミングにおいて光軸方向        に移動しないレンズ群との間に配置される各レンズ群の光軸上の厚さの総和、
ΣｄAIR：第２レンズ群と、第２レンズ群よりも像側にあってズーミングにおいて光軸            方向に移動しないレンズ群との間に配置される各レンズ群間の光軸上の空気            間隔の総和
である。
【請求項８】
収納状態において、第２レンズ群のうち負メニスカス形状のレンズ素子を除く光学要素が、撮像状態において配置される位置とは異なる退避位置に退避する、請求項６に記載のレンズ鏡筒。
【請求項９】
撮像光学系が以下の条件（２）を満足する、請求項８に記載のレンズ鏡筒：
０．６０＜Ｄ1／Ｄ2＜０．８５  ・・・（２）
ここで、
Ｄ1：収納時に退避される光学要素よりも物体側に配置されるすべての光学要素におい        て、最も物体側の面から最も像側の面までの光軸上の距離、
Ｄ2：収納時に退避される光学要素において、最も物体側の面から最も像側の面までの        光軸上の距離
である。
【請求項１０】
撮像光学系が以下の条件（４）を満足する、請求項８に記載のレンズ鏡筒：
２．００＜Ｄ1／ＩV＜２．８０  ・・・（４）
ここで、
Ｄ1：収納時に退避される光学要素よりも物体側に配置されるすべての光学要素におい        て、最も物体側の面から最も像側の面までの光軸上の距離、
ＩV：撮像素子の短辺方向の長さ
である。
【請求項１１】
撮像光学系が以下の条件（６）を満足する、請求項８に記載のレンズ鏡筒：
３．００＜Ｄ2／ＩV＜４．００  ・・・（６）
ここで、
Ｄ2：収納時に退避される光学要素において、最も物体側の面から最も像側の面までの        光軸上の距離、
ＩV：撮像素子の短辺方向の長さ
である。
【請求項１２】
収納状態において、第２レンズ群全体が、撮像状態において配置される位置とは異なる退避位置に退避する、請求項６に記載のレンズ鏡筒。
【請求項１３】
撮像光学系が以下の条件（３）を満足する、請求項１２に記載のレンズ鏡筒：
０．４５＜Ｄ1’／Ｄ2’＜０．６５  ・・・（３）
ここで、
Ｄ1’：収納時に退避される光学要素よりも物体側に配置されるすべての光学要素にお          いて、最も物体側の面から最も像側の面までの光軸上の距離、
Ｄ2’：収納時に退避される光学要素において、最も物体側の面から最も像側の面まで          の光軸上の距離
である。
【請求項１４】
撮像光学系が以下の条件（５）を満足する、請求項１２に記載のレンズ鏡筒：
２．００＜Ｄ1’／ＩV＜２．８０  ・・・（５）
ここで、
Ｄ1’：収納時に退避される光学要素よりも物体側に配置されるすべての光学要素にお          いて、最も物体側の面から最も像側の面までの光軸上の距離、
ＩV：撮像素子の短辺方向の長さ
である。
【請求項１５】
撮像光学系が以下の条件（７）を満足する、請求項１２に記載のレンズ鏡筒：
３．８０＜Ｄ2’／ＩV＜５．２０  ・・・（７）
Ｄ2’：収納時に退避される光学要素において、最も物体側の面から最も像側の面まで          の光軸上の距離、
ＩV：撮像素子の短辺方向の長さ
である。
【請求項１６】
撮像光学系が以下の条件（８）を満足する、請求項６に記載のレンズ鏡筒：
−１．５０＜ｆ2／ｆW＜−１．００  ・・・（８）
（ただし、Ｚ＝ｆT／ｆW＞５．０）
ここで、
ｆ2：第２レンズ群の合成焦点距離、
ｆW：全系の広角端での焦点距離、
ｆT：全系の望遠端での焦点距離
である。
【請求項１７】
撮像光学系が以下の条件（９）を満足する、請求項６に記載のレンズ鏡筒：
５．００＜ｆ1／ｆW＜８．００  ・・・（９）
（ただし、Ｚ＝ｆT／ｆW＞５．０）
ここで、
ｆ1：第１レンズ群の合成焦点距離、
ｆW：全系の広角端での焦点距離、
ｆT：全系の望遠端での焦点距離
である。
【請求項１８】
撮像光学系が以下の条件（１０）を満足する、請求項６に記載のレンズ鏡筒：
０．８０＜Ｍ1／Ｍ3＜１．４０  ・・・（１０）
（ただし、Ｚ＝ｆT／ｆW＞５．０）
ここで、
Ｍ1：広角端から望遠端へズーミング時の第１レンズ群の移動量、
Ｍ3：広角端から望遠端へズーミング時の第３レンズ群の移動量、
ｆW：全系の広角端での焦点距離、
ｆT：全系の望遠端での焦点距離
である。
【請求項１９】
撮像光学系が以下の条件（１１）を満足する、請求項６に記載のレンズ鏡筒：
３．００＜Ｍ1／ＩH＜５．００  ・・・（１１）
（ただし、Ｚ＝ｆT／ｆW＞５．０）
ここで、
Ｍ1：広角端から望遠端へズーミング時の第１レンズ群の移動量、
ＩH：撮像素子の長辺方向の長さ、
ｆW：全系の広角端での焦点距離、
ｆT：全系の望遠端での焦点距離
である。
【請求項２０】
撮像光学系が以下の条件（１２）を満足する、請求項６に記載のレンズ鏡筒：
０．４５＜Ｒi／Ｉmg＜０．６５  ・・・（１２）
ここで、
Ｒi：反射光学素子の反射面上で反射する光束を撮像素子側の光軸に垂直な面に射影し        たときの光束の有効径、
Ｉmg：像円径
である。
【請求項２１】
撮像光学系が以下の条件（１３）を満足する、請求項６に記載のレンズ鏡筒：
−２．８０＜ｆOJTW／ｆW＜−１．８０  ・・・（１３）
（ただし、Ｚ＝ｆT／ｆW＞５．０）
ここで、
ｆOJTW：広角端における反射面よりも物体側に配置されるレンズ群の合成焦点距離、
ｆW：全系の広角端での焦点距離、
ｆT：全系の望遠端での焦点距離
である。
【請求項２２】
撮像光学系が、物体側から像側へと順に、正のパワーを有する第１レンズ群と、反射光学素子を含み負のパワーを有する第２レンズ群と、正のパワーを有する第３レンズ群と、正のパワーを有する第４レンズ群とを備えるズームレンズ系であって、
前記撮像光学系が以下の条件（１４）を満足する、請求項６に記載のレンズ鏡筒：
４．００＜ｆ4／ｆW＜７．００  ・・・（１４）
（ただし、Ｚ＝ｆT／ｆW＞５．０）
ここで、
ｆ4：第４レンズ群の合成焦点距離、
ｆW：全系の広角端での焦点距離、
ｆT：全系の望遠端での焦点距離
である。
【請求項２３】
撮像光学系が、物体側から像側へと順に、正のパワーを有する第１レンズ群と、反射光学素子を含み負のパワーを有する第２レンズ群と、正のパワーを有する第３レンズ群と、正のパワーを有する第４レンズ群とを備えるズームレンズ系であって、
前記撮像光学系が以下の条件（１５）を満足する、請求項６に記載のレンズ鏡筒：
−０．２５＜βT4／βW4＜０．８０  ・・・（１５）
（ただし、Ｚ＝ｆT／ｆW＞５．０、βT4／βW4≠０）
ここで、
βT4：無限遠合焦状態における望遠端の第４レンズ群の倍率、
βW4：無限遠合焦状態における広角端の第４レンズ群の倍率、
ｆW：全系の広角端での焦点距離、
ｆT：全系の望遠端での焦点距離
である。
【請求項２４】
撮像光学系が、物体側から像側へと順に、正のパワーを有する第１レンズ群と、反射光学素子を含み負のパワーを有する第２レンズ群と、正のパワーを有する第３レンズ群と、正のパワーを有する第４レンズ群とを備えるズームレンズ系であって、
前記撮像光学系が以下の条件（１６）を満足する、請求項６に記載のレンズ鏡筒：
２．００＜ｆ3／ｆ4＜５．００  ・・・（１６）
（ただし、Ｚ＝ｆT／ｆW＞５．０）
ここで、
ｆ3：第３レンズ群の合成焦点距離、
ｆ4：第４レンズ群の合成焦点距離、
ｆW：全系の広角端での焦点距離、
ｆT：全系の望遠端での焦点距離
である。
【請求項２５】
物体の光学的な像を電気的な画像信号として出力可能な撮像装置であって、
物体の光学的な像を形成する撮像光学系を保持するレンズ鏡筒と、
前記撮像光学系により形成された光学的な像を電気的な画像信号に変換する撮像素子とを備え、
前記撮像光学系が、物体からの光線を入射させる物体側レンズ群と、該物体側レンズ群から射出した光線を折り曲げる反射面を有する反射光学素子とを含み、
撮像状態において、前記物体側レンズ群を物体からの光線方向に移動可能に保持し、
収納状態において、撮像状態において配置される位置とは異なる退避位置に前記反射光学素子を退避させる、撮像装置。
【請求項２６】
物体の光学的な像を電気的な画像信号に変換し、変換された画像信号に対して表示及び記憶の少なくとも一方を行うカメラであって、
筐体と、
物体の光学的な像を形成する撮像光学系を保持するレンズ鏡筒及び該撮像光学系により形成された光学的な像を電気的な画像信号に変換する撮像素子を含む撮像装置とを備え、
前記撮像光学系が、物体からの光線を入射させる物体側レンズ群と、該物体側レンズ群から射出した光線を折り曲げる反射面を有する反射光学素子とを含み、
撮像状態において、前記物体側レンズ群を物体からの光線方向に移動可能に保持し、
収納状態において、撮像状態において配置される位置とは異なる退避位置に前記反射光学素子を退避させる、カメラ。
【発明の詳細な説明】
【技術分野】
【０００１】
本発明は、レンズ鏡筒、撮像装置及びカメラに関する。特に本発明は、デジタルスチルカメラ、デジタルビデオカメラ（以下、単にカメラともいう）等に好適な小型で高画質の撮像光学系を備えるレンズ鏡筒、撮像装置、及び該撮像装置を備えるカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進展し、高画素の固体撮像素子に対応した高い光学性能を持つ撮像光学系を含む撮像装置を備えたデジタルスチルカメラやデジタルビデオカメラが急速に普及してきている。
【０００３】
これらのうち、特にデジタルスチルカメラにおいて、最近、収納性や可搬性を最優先した薄型の筐体を持つ構成が提案されている。このような薄型の筐体を持つデジタルスチルカメラを実現するためには、デジタルスチルカメラの構成要素として比較的体積が大きい撮像装置の非使用状態における配置構成を考慮することが重要である。
【０００４】
例えば、特許文献１は、撮像光学系を構成する一部の光学要素、典型的にはズームレンズ系におけるレンズ群を、沈胴状態において撮影状態にあるときとは異なる位置に退避させてなるレンズ鏡筒を開示している。特許文献１に開示されたレンズ鏡筒は、具体的には、第１レンズ群ないし第３レンズ群の３つのレンズ群からなる撮像光学系の内、第２レンズ群を、第１レンズ群及び第３レンズ群の光軸に直交する方向に退避させ、それぞれのレンズ群を像側へ後退させて沈胴を行うことにより、全体の厚みを軽減している。
【０００５】
また、特許文献２は、ズームレンズ系を備える撮像装置において、最も物体側に配置されたレンズ群中に、光束を９０°折り曲げる内部反射面を持つ直角プリズムを配置した構成を開示している。特許文献２に記載された撮像装置は、物体光を入射するレンズ群の光軸に対して垂直な面内で折り曲げることにより、撮像装置の厚みを直角プリズムと直角プリズムより物体側に配置されるレンズ素子とにより決定でき、厚みを低減することができる。
【０００６】
また、特許文献３は、正負正正の４群からなるズームレンズ系を備える撮像装置において、負のパワーを持つ第２レンズ群中に、光束を９０°折り曲げる内部反射面を持つ直角プリズムを配置した構成を開示している。特許文献３に記載された撮像装置は、正のパワーを持つ第１レンズ群の像側にあるレンズ群中に直角プリズムを配置することができるので、直角プリズムをコンパクトに構成できるとしている。
【０００７】
また、特許文献４は、収納時に各レンズ素子が像側へ後退駆動され、全長が短縮される沈胴構成のズームレンズ系を開示している。特許文献４に記載のズームレンズ系は、収納時に撮像光学系の最も像側に配置される光学フィルターを光軸と直交する方向に退避させることにより、沈胴の際の全長を短縮できるとしている。
【０００８】
また、特許文献５は、沈胴式のレンズ鏡筒を持つ電子カメラを開示している。特許文献５に記載の電子カメラは、被写体光束を取り込むレンズ群と、レンズ群を支持し筐体前面に突出する使用位置と筐体内部に沈胴する収納位置との間を第１の光軸に沿って手動で移動可能に設けられるレンズ枠と、レンズ群を透過した光束を折り曲げる反射鏡と、反射鏡で折り曲げられた光束を受光する撮像素子とを備えている。この構成において、反射鏡は、レンズ群を通過した光束を撮像素子に導き得る反射位置（使用位置）に移動し、レンズ枠の収納位置への移動に応じて収納位置におけるレンズ枠の収納空間を確保し得る退避位置に移動する。
【特許文献１】特開２００３−３１５８６１号公報
【特許文献２】特開２００３−２０２５００号公報
【特許文献３】特開２００４−１０２０８９号公報
【特許文献４】特開２００４−１１８１０１号公報
【特許文献５】特開２００３−１５６７８９号公報
【発明の開示】
【発明が解決しようとする課題】
【０００９】
しかしながら、特許文献１に記載のレンズ鏡筒は、光学要素を退避させるために非常に複雑な機構が必要であり、しかもこれらの機構の部品精度や組み立て精度が極めて厳しいという問題があった。また、特定の光学要素を退避させるだけであるので、撮像装置の厚みが退避されない光学要素に依存し、薄型化に限界があった。また、３倍を超えるような変倍比の大きいズームレンズ系では、４群を超えるレンズ群から構成される多成分ズームレンズ系が用いられる。しかしながら、特許文献１に記載のレンズ鏡筒は、このような多成分ズームレンズ系に適用した場合、機構が複雑になる一方で薄型化のメリットが小さくなるという問題があった。
【００１０】
また、特許文献２に記載のズームレンズ系は、最も物体側に配置されるレンズ群中に反射面を配置しているため、反射面が大きくなるという問題があった。特許文献２に記載のズームレンズ系では、反射面の大きさにより撮像装置の厚みが決定されてしまうため、反射面が大きくなることは好ましくない。また、反射面を大きくしなければＦナンバーの小さい明るい撮像光学系を設計することが困難であり、同様に好ましくない。
【００１１】
また、特許文献３に記載のズームレンズ系は、再も物体側に配置されたレンズ素子から反射面までの距離と、反射面から撮像素子までの距離との間に大きな差を付けられないため、全体としての薄型化に限界があった。
【００１２】
また、特許文献４に記載のズームレンズ系は、光学フィルターの厚みに相当する大きさを短縮できるに過ぎず、薄型化を充分に達成できるとは言い難い。
【００１３】
さらに、特許文献５に記載の電子カメラに含まれるレンズ鏡筒は、反射鏡より物体側にあるレンズ群が撮影状態において固定であるため、撮像光学系の変倍比を充分に確保することが困難であった。
【００１４】
本発明の目的は、変倍比が５倍以上あり解像度が高いズームレンズ系等の撮像光学系を保持するとともに、収納状態の全長が短くコンパクトなレンズ鏡筒、及びそのレンズ鏡筒を用いる撮像装置を提供することである。また本発明の目的は、上記撮像装置を備えるカメラを提供することである。
【課題を解決するための手段】
【００１５】
上記目的の１つは、以下のレンズ鏡筒により達成される。すなわち本発明のレンズ鏡筒は、物体の光学的な像を形成する撮像光学系を保持するレンズ鏡筒であって、前記撮像光学系が、物体からの光線を入射させる物体側レンズ群と、該物体側レンズ群から射出した光線を折り曲げる反射面を有する反射光学素子とを含み、撮像状態において、前記物体側レンズ群を物体からの光線方向に移動可能に保持し、収納状態において、撮像状態において配置される位置とは異なる退避位置に前記反射光学素子を退避させるものである。
【００１６】
上記目的の１つは、以下の撮像装置により達成される。すなわち本発明の撮像装置は、物体の光学的な像を電気的な画像信号として出力可能な撮像装置であって、物体の光学的な像を形成する撮像光学系を保持するレンズ鏡筒と、前記撮像光学系により形成された光学的な像を電気的な画像信号に変換する撮像素子とを備え、前記撮像光学系が、物体からの光線を入射させる物体側レンズ群と、該物体側レンズ群から射出した光線を折り曲げる反射面を有する反射光学素子とを含み、撮像状態において、前記物体側レンズ群を物体からの光線方向に移動可能に保持し、収納状態において、撮像状態において配置される位置とは異なる退避位置に前記反射光学素子を退避させるものである。
【００１７】
上記目的の１つは、以下のカメラにより達成される。すなわち本発明のカメラは、物体の光学的な像を電気的な画像信号に変換し、変換された画像信号に対して表示及び記憶の少なくとも一方を行うカメラであって、筐体と、物体の光学的な像を形成する撮像光学系を保持するレンズ鏡筒及び該撮像光学系により形成された光学的な像を電気的な画像信号に変換する撮像素子を含む撮像装置とを備え、前記撮像光学系が、物体からの光線を入射させる物体側レンズ群と、該物体側レンズ群から射出した光線を折り曲げる反射面を有する反射光学素子とを含み、撮像状態において、前記物体側レンズ群を物体からの光線方向に移動可能に保持し、収納状態において、撮像状態において配置される位置とは異なる退避位置に前記反射光学素子を退避させるものである。
【発明の効果】
【００１８】
本発明によれば、変倍比が５倍以上あり、解像度が高いズームレンズ系等の撮像光学系を保持するとともに、収納状態の全長が短くコンパクトなレンズ鏡筒、及び該レンズ鏡筒を用いる撮像装置を提供することができる。また本発明によれば、前記撮像装置を備えるカメラを提供することができる。
【発明を実施するための最良の形態】
【００１９】
（実施の形態１）
図１（ａ）は、本発明の実施の形態１に係る撮像装置を適用したカメラの撮像状態の概略構成を示す透過斜視図、図１（ｂ）は、実施の形態１に係る撮像装置を適用したカメラの収納状態の概略構成を示す透過斜視図である。なお、図１（ａ）及び図１（ｂ）は、実施の形態１に係る撮像装置を模式的に示した図であり、縮尺や相対的な関係は実際とは異なる。
【００２０】
図１（ａ）及び図１（ｂ）において、実施の形態１に係る撮像装置を適用したカメラは、筐体１と、撮像素子２と、シャッターボタン３と、物体側レンズ群４と、反射光学素子５と、像側レンズ群６とを備える。これらのうち、物体側レンズ群４と、反射光学素子５と、像側レンズ群６とは、撮像光学系を構成しており、撮像素子２の受光面に物体の光学像を形成する。これらのうち、撮像光学系は後述するレンズ鏡筒により保持されている。また、レンズ鏡筒と撮像素子２とで撮像装置が構成される。したがって、カメラは、筐体１と、レンズ鏡筒と撮像素子２とを含む撮像装置とを備えている。
【００２１】
図１（ａ）に示す撮像状態において、撮像素子２は、ＣＣＤやＣＭＯＳ等の撮像センサーであり、撮像光学系が受光面に形成した光学像に基づいて電気的な画像信号を生成して出力する。シャッターボタン３は、筐体１の上側側面に配置され、操作者によって操作されることにより撮像素子２の画像信号の取得タイミングを決定する。物体側レンズ群４は、光軸ＡＸ１の方向に沿って伸縮可能なレンズ保持筒の内部に保持される。反射光学素子５は、物体側レンズ群４の光軸ＡＸ１（物体からの軸上主光線）を略９０°折り曲げるための反射面５ａを有し、物体側レンズ群４から射出された物体光を像側レンズ群６へ偏向する。像側レンズ群６は、光軸ＡＸ２上に配置され、反射面５ａによって偏向された物体光を撮像素子２へ伝達する。
【００２２】
図１（ｂ）に示す収納状態において、物体側レンズ群４は、沈胴されて筐体１内部に収納される。撮像状態において、物体側レンズ群４の像側に配置されていた反射光学素子５は、光軸ＡＸ２に沿って撮像素子２側へ退避されている。また、像側レンズ群６も、光軸ＡＸ２に沿って撮像素子２側へ退避されている。撮像光学系は、このようにして、筐体１の内部に完全に収納される。
【００２３】
図１（ａ）に示す撮像状態から、図１（ｂ）に示す収納状態へ移行する場合、はじめに像側レンズ群６が矢印ａ３に従って光軸ＡＸ２に沿って撮像素子２側へ移動し、次に反射光学素子５が矢印ａ２に従って光軸ＡＸ２に沿って撮像素子２側へ移動する。最後に、像側レンズ群６及び反射光学素子５が移動した結果、形成された空間に物体側レンズ群４を保持する鏡筒が矢印ａ１に従って光軸ＡＸ１に沿って沈胴して収納状態への移行が完了する。
【００２４】
一方、図１（ｂ）に示す収納状態から、図１（ａ）に示す撮像状態へ移行する場合、物体側レンズ群４を保持するレンズ保持筒が矢印ｂ１に従って光軸ＡＸ１に沿って繰り出される。物体側レンズ群４を保持するレンズ保持筒が繰り出された結果、形成された空間に反射光学素子５が矢印ｂ２に従って光軸ＡＸ２に沿って移動し、さらに像側レンズ群６が矢印ｂ３に従って光軸ＡＸ２に沿って移動して撮像状態への移行が完了する。
【００２５】
図２（ａ）は、実施の形態１の広角端の撮像状態の撮像光学系の配置を示すレンズ配置図、図２（ｂ）は、実施の形態１の収納状態の撮像光学系の配置を示すレンズ配置図である。実施の形態１に係る撮像光学系は、ズームレンズ系である。実施の形態１に係るズームレンズ系は、物体側から像側へと順に、正のパワーを有する第１レンズ群Ｇ１と、負のパワーを有する第２レンズ群Ｇ２と、後続する絞りＡ、第３レンズ群Ｇ３、第４レンズ群Ｇ４、第５レンズ群Ｇ５とを有する。また、図中最も右側に記載された直線は、像面Ｓの位置を表し、その物体側には光学的ローパスフィルタや撮像素子のフェースプレート等である平行平板Ｐを設けている。反射光学素子であるプリズムＬ５は、第２レンズ群Ｇ２中に配置されている。
【００２６】
実施の形態１に係るズームレンズ系は、図２（ｂ）に示す収納状態において、第２レンズ群Ｇ２のうち、最も物体側に配置された負メニスカス形状のレンズ素子Ｌ４と、反射光学素子であるプリズムＬ５、後続するレンズ素子Ｌ６及びレンズ素子Ｌ７とが分離して収納されている。すなわち、負メニスカス形状のレンズ素子Ｌ４は、プリズムＬ５、後続するレンズ素子Ｌ６及びレンズ素子Ｌ７と別体に保持されており、プリズムＬ５、後続するレンズ素子Ｌ６及びレンズ素子Ｌ７とからなるレンズブロックとともに光軸ＡＸ２に沿って退避しない。このため、負メニスカス形状のレンズ素子Ｌ４は、第１レンズ群Ｇ１とともに、光軸ＡＸ１に沿って沈胴されて収納される。
【００２７】
図３は、本発明の実施の形態１に係る撮像装置のレンズ鏡筒の配置を示す断面図であり、図３（ａ）は、望遠端の撮像状態のレンズ鏡筒の配置を示す断面図、図３（ｂ）は、広角端の撮像状態のレンズ鏡筒の配置を示す断面図、図３（ｃ）は、収納状態のレンズ鏡筒の配置を示す断面図である。
【００２８】
実施の形態１に係る撮像装置のレンズ鏡筒は、本体１０と、第１レンズ群保持多段筒１１と、第２レンズ群保持筒１２と、第３レンズ群保持筒１３と、第４レンズ群保持筒１４と、第５レンズ群保持筒１５と、ガイドシャフト１６ａ及びガイドシャフト１６ｂとを備える。
【００２９】
本体１０は、収納状態において、撮像装置のすべての構成を収納可能な筐体である。図３（ａ）及び図３（ｂ）に示す撮像状態において、本体１０内部には、第２レンズ群保持筒１２と、第３レンズ群保持筒１３と、第４レンズ群保持筒１４と、第５レンズ群保持筒１５と、ガイドシャフト１６ａ及びガイドシャフト１６ｂとが配置されている。
【００３０】
第１レンズ群保持多段筒１１は、繰り出し可能な三段鏡筒であり、図示しない駆動モータと駆動機構により光軸ＡＸ１に沿って繰り出し及び沈胴が行われる。また、第１レンズ群保持多段筒１１は、最も内径の小さい筒に第１レンズ群を保持する。さらに、最も内径の大きな筒に第２レンズ群の最も物体側に配置された負メニスカス形状のレンズ素子Ｌ４を保持する保持部１１ａを有する。
【００３１】
第２レンズ群保持筒１２は、第２レンズ群のうち、プリズムＬ５から撮像素子側の構成を保持する。第３レンズ群保持筒１３と、第４レンズ群保持筒１４とは、それぞれ、第３レンズ群と第４レンズ群とを保持する。第５レンズ群保持筒１５は、第５レンズ群と、平行平板Ｐと、撮像素子２とを保持する。
【００３２】
第２レンズ群保持筒１２と、第３レンズ群保持筒１３と、第４レンズ群保持筒１４とは、光軸ＡＸ２方向に対して平行に配置された２本のガイドシャフト１６ａ及びガイドシャフト１６ｂに案内され、光軸ＡＸ２方向に沿って移動可能に保持される。また、第２レンズ群保持筒１２と、第３レンズ群保持筒１３と、第４レンズ群保持筒１４とは、図示しない駆動モータと駆動機構により光軸ＡＸ２方向に沿って駆動される。ガイドシャフト１６ａ及びガイドシャフト１６ｂは、一方端が第５レンズ群保持筒１５に保持され、他方端が本体１０の上端部１０ａに保持されて固定される。
【００３３】
以上の構成において、図３（ａ）に示す望遠端の撮像状態にあるとき、レンズ鏡筒は、第１レンズ群保持多段筒１１は、光軸ＡＸ１に沿って最大に繰り出されており、第１レンズ群と第２レンズ群との間隔は最大に保たれている。また、第２乃至第５レンズ群保持筒１２〜１５は、それぞれ望遠端における光軸ＡＸ２上の所定の位置に配置されている。
【００３４】
図３（ａ）に示す望遠端の撮像状態から、図３（ｂ）に示す広角端の撮像状態へ移行する場合、第１レンズ群保持多段筒１１は、光軸ＡＸ２に沿って最小長さに短縮され、第１レンズ群と第２レンズ群との間隔が最小になる位置で停止する。このとき、第１レンズ群保持多段筒１１の保持部１１ａに保持されるレンズ素子Ｌ４は、第１レンズ群保持多段筒１１の短縮が行われている間、プリズムＬ５との間隔が変化しないように固定される。また、第３及び第４レンズ群保持筒１３、１４は、ガイドシャフト１６ａ及びガイドシャフト１６ｂに案内されながら光軸ＡＸ２に沿って移動し、それぞれ広角端における光軸ＡＸ２上の所定の位置で停止される。この間、第２レンズ群保持筒１２と第５レンズ群保持筒１５は固定されている。
【００３５】
図３（ｂ）に示す広角端の撮像状態から、図３（ｃ）に示す収納状態へ移行する場合、第３及び第４レンズ群保持筒１３、１４は、ガイドシャフト１６ａ及びガイドシャフト１６ｂに案内されながら光軸ＡＸ２に沿って移動し、それぞれ第２レンズ群保持筒１２が退避可能な空間を形成するように所定の位置で停止される。この間、第５レンズ群保持筒１５は固定されている。また、第２レンズ群保持筒１２は、光軸ＡＸ２に沿って移動し、第２レンズ群のうち最も物体側のレンズ素子Ｌ４を除く光学素子を退避させる。この後、第１レンズ群保持多段筒１１は、光軸ＡＸ１に沿って最小長さのまま沈胴され、本体１０に収納されて停止する。
【００３６】
以上、実施の形態１に係るレンズ鏡筒によれば、収納状態において、撮像状態において配置される位置とは異なる退避位置に反射光学素子を退避させることができるので、撮像状態において発生する空気間隔を有効に利用することができ、倍率の大きなズームレンズ系等のように空気間隔が大きい撮像光学系を物体からの軸上光束の光軸方向に薄くコンパクトに収納することができる。
【００３７】
また、実施の形態１に係るレンズ鏡筒によれば、反射光学素子が物体からの軸上主光線を略９０°折り曲げる反射面を持つので、撮像状態において、撮像光学系を物体からの軸上光束の光軸方向に薄く構成することが可能である。
【００３８】
また、実施の形態１に係るレンズ鏡筒によれば、撮像光学系は、反射光学素子より、物体側に配置される物体側レンズ群と、反射光学素子より、像側に配置される像側レンズ群とを含むので、高倍率のズームレンズ系等のように複雑でレンズ群の移動量が大きい撮像光学系を物体からの軸上光束の光軸方向に薄くコンパクトに構成することが容易である。
【００３９】
また、実施の形態１に係るレンズ鏡筒によれば、反射光学素子が、反射前の物体からの軸上主光線に直交する方向に退避するので、撮像光学系を物体からの軸上光束の光軸方向に薄く構成することができる。特に、実施の形態１に係るレンズ鏡筒によれば、撮像光学系の像側へ退避するので、撮像状態における空気間隔をレンズ素子の収納スペースに用いることができ、撮像光学系の収納状態を特にコンパクトにすることができる。
【００４０】
また、実施の形態１に係るレンズ鏡筒によれば、撮像光学系が、物体側より像側へ向けて順に、正のパワーを有する第１レンズ群と、負のパワーを有する第２レンズ群と、後続する少なくとも一つの後続レンズ群とを備え、反射光学素子が第２レンズ群中に配置されるので、反射光学素子の反射面を小さくすることができ、特に撮像光学系を物体からの軸上光束の光軸方向に薄く構成することができる。また、高精度の反射光学素子を小さく構成できるため、レンズ鏡筒のコストダウンがはかれる。
【００４１】
また、実施の形態１に係るレンズ鏡筒によれば、第２レンズ群は、物体側より像側へ向けて順に、像側によりパワーの強い面を持つ負メニスカス形状のレンズ素子と、反射光学素子と、後続する少なくとも一つのレンズ素子とを含むので、負メニスカス形状のレンズ素子により物体からの光束が反射面に入射する際の入射角を小さくすることができる。
【００４２】
特に、実施の形態１に係るレンズ鏡筒によれば、収納状態において、負メニスカス形状のレンズ素子は、反射光学素子と分離され退避しないため、強いパワーを有し偏芯感度の高い負メニスカス形状のレンズ素子を光軸上から移動させることがない。したがって、収納状態から撮像状態へ移行する際、第１レンズ群とレンズ素子Ｌ４との相対的な位置関係を維持したまま復帰させることができる。
【００４３】
図４（ａ）は、本発明の実施の形態１の変形例に係る撮像装置を適用したカメラの撮像状態の概略構成を示す透過斜視図、図４（ｂ）は、実施の形態１の変形例に係る撮像装置を適用したカメラの収納状態の概略構成を示す透過斜視図である。図４（ａ）及び図４（ｂ）において、実施の形態１にて説明した構成と同一の構成については、同一の符号を付し、その説明を省略する。
【００４４】
変形例に係る撮像装置は、上述した実施の形態１に係る撮像装置とは異なり、プリズム７がキューブ形状である。このように、反射面を有する反射光学素子の態様は特に限定されるものではない。例えば、平行平板形状の内部反射ミラー、平行平板形状の表面反射ミラー、表面反射プリズムなどのいずれであってもよい。また、反射面は、アルミニウムなどの金属を蒸着させたり、誘電多層膜を形成するなど、公知のいずれの方法を用いて形成してもよい。さらに、反射面は、反射率が１００％である必要もなく、物体からの光から測光のための光や光学ファインダ光学系のための光を分岐させたり、反射面を介してオートフォーカス補助光などを投光したりするための光路の一部に使用する等、反射率を適宜設定してもよい。
（実施の形態２）
図５（ａ）は、本発明の実施の形態２に係る撮像装置を適用したカメラの撮像状態の概略構成を示す透過斜視図、図５（ｂ）は、実施の形態２に係る撮像装置を適用したカメラの収納状態の概略構成を示す透過斜視図である。図５（ａ）及び図５（ｂ）において、実施の形態１にて説明した構成と同一の構成については、同一の符号を付し、その説明を省略する。
【００４５】
実施の形態２に係る撮像装置は、実施の形態１に係る撮像装置と、収納状態において退避されるブロックが、反射光学素子５よりも物体側に配置されるレンズ素子５ｂを含む点で相違する。
【００４６】
図５（ａ）に示す撮像状態から、図５（ｂ）に示す収納状態へ移行する場合、はじめに像側レンズ群６が矢印ａ３に従って光軸ＡＸ２に沿って撮像素子２側へ移動し、次に反射光学素子５及びレンズ素子５ｂとが矢印ａ２に従って光軸ＡＸ２に沿って撮像素子２側へ移動する。最後に、像側レンズ群６、反射光学素子５及びレンズ素子５ｂとが移動した結果、形成された空間に物体側レンズ群４を保持するレンズ保持筒が矢印ａ１に従って光軸ＡＸ１に沿って沈胴して収納状態への移行が完了する。
【００４７】
一方、図５（ｂ）に示す収納状態から、図５（ａ）に示す撮像状態へ移行する場合、物体側レンズ群４を保持するレンズ保持筒が矢印ｂ１に従って光軸ＡＸ１に沿って繰り出される。物体側レンズ群４を保持するレンズ保持筒が繰り出された結果、形成された空間に反射光学素子５とレンズ素子５ｂとが矢印ｂ２に従って光軸ＡＸ２に沿って移動し、さらに像側レンズ群６が矢印ｂ３に従って光軸ＡＸ２に沿って移動して撮像状態への移行が完了する。
【００４８】
図６（ａ）は、本発明の実施の形態２の広角端の撮像状態の撮像光学系の配置を示すレンズ配置図、図６（ｂ）は、実施の形態２の収納状態の撮像光学系の配置を示すレンズ配置図である。実施の形態２に係る撮像光学系は、ズームレンズ系である。実施の形態２に係るズームレンズ系は、実施の形態１において説明したズームレンズ系と等しい構成を備える。すなわち、ズームレンズ系は、物体側から像側へと順に、正のパワーを有する第１レンズ群Ｇ１と、負のパワーを有する第２レンズ群Ｇ２と、後続する絞りＡ、第３レンズ群Ｇ３、第４レンズ群Ｇ４、第５レンズ群Ｇ５とを有する。また、図中最も右側に記載された直線は、像面Ｓの位置を表し、その物体側には光学的ローパスフィルタや撮像素子のフェースプレート等である平行平板Ｐを設けている。反射光学素子であるプリズムＬ５は、第２レンズ群Ｇ２中に配置されている。
【００４９】
実施の形態２に係るズームレンズ系は、図６（ｂ）に示す収納状態において、第２レンズ群Ｇ２全体、すなわち、最も物体側に配置された負メニスカス形状のレンズ素子Ｌ４、反射光学素子であるプリズムＬ５、後続するレンズ素子Ｌ６及びレンズ素子Ｌ７とが一体的に退避されている。
【００５０】
図７は、本発明の実施の形態２に係る撮像装置のレンズ鏡筒の配置を示す断面図であり、図７（ａ）は、望遠端の撮像状態のレンズ鏡筒の配置を示す断面図、図７（ｂ）は、広角端の撮像状態のレンズ鏡筒の配置を示す断面図、図７（ｃ）は、収納状態のレンズ鏡筒の配置を示す断面図である。実施の形態２のレンズ鏡筒は、第２レンズ群保持筒２２が、第２レンズ群全体、すなわち、レンズ素子Ｌ４からプリズムＬ５を経て後続２枚のレンズ素子までをすべて保持する点が、実施の形態１とは相違する。
【００５１】
実施の形態２において、図７（ａ）に示す望遠端の撮像状態から、図７（ｂ）に示す広角端の撮像状態へ移行する場合、実施の形態１と概略等しい動作を行う。一方、図７（ｂ）に示す広角端の撮像状態から、図７（ｃ）に示す収納状態へ移行する場合、第２レンズ群保持筒２２は、光軸ＡＸ２に沿って移動し、第２レンズ群全体を退避させる。この後、第１レンズ群保持多段筒２１は、光軸ＡＸ１に沿って最小長さのまま沈胴され、本体１０に収納されて停止する。
【００５２】
以上のように、実施の形態２に係るレンズ鏡筒によれば、実施の形態１において説明した共通の構成に加えて、収納状態において、第２レンズ群全体を反射光学素子とともに退避させるため、収納状態から撮像状態へ移行する際、第２レンズ群の相対的な位置関係を維持したまま復帰させることができる。このため、復帰精度を高めることができる。
（実施の形態３）
図８（ａ）は、本発明の実施の形態３に係る撮像装置を適用したカメラの撮像状態の概略構成を示す透過斜視図、図８（ｂ）は、実施の形態３に係る撮像装置を適用したカメラの収納状態の概略構成を示す透過斜視図である。図８（ａ）及び図８（ｂ）において、実施の形態１にて説明した構成と同一の構成については、同一の符号を付し、その説明を省略する。
【００５３】
実施の形態３に係る撮像装置は、実施の形態１に係る撮像装置と、収納状態において退避されるブロックが、像側レンズ群６の光軸ＡＸ２方向ではなく、光軸ＡＸ２に直交する方向に退避される点で相違する。
【００５４】
図８（ａ）に示す撮像状態から、図８（ｂ）に示す収納状態へ移行する場合、はじめに反射光学素子５が矢印ａ４に従って光軸ＡＸ２に直交する方向へ移動する。次に、反射光学素子５が移動した結果、形成された空間に物体側レンズ群４を保持するレンズ保持筒が矢印ａ１に従って光軸ＡＸ１に沿って沈胴して収納状態への移行が完了する。
【００５５】
一方、図８（ｂ）に示す収納状態から、図８（ａ）に示す撮像状態へ移行する場合、物体側レンズ群４を保持するレンズ保持筒が矢印ｂ１に従って光軸ＡＸ１に沿って繰り出される。物体側レンズ群４を保持するレンズ保持筒が繰り出された結果、形成された空間に反射光学素子５が矢印ｂ４に従って光軸ＡＸ２に直交する方向に移動して撮像状態への移行が完了する。
【００５６】
以上のように、実施の形態３に係るレンズ鏡筒によれば、実施の形態１において説明した共通の構成に加えて、反射光学素子を光軸ＡＸ２に直交する方向に退避するので、収納状態への移行に際して像側レンズ群を移動する必要がない。このため、機構を簡単にすることができるとともに、レンズ鏡筒を光軸ＡＸ２方向にコンパクトに構成することができる。
（実施の形態４）
図９（ａ）は、本発明の実施の形態４に係る撮像装置を適用したカメラの撮像状態の概略構成を示す透過斜視図、図９（ｂ）は、実施の形態４に係る撮像装置を適用したカメラの収納状態の概略構成を示す透過斜視図である。図９（ａ）及び図９（ｂ）において、実施の形態２にて説明した構成と同一の構成については、同一の符号を付し、その説明を省略する。
【００５７】
実施の形態４に係る撮像装置は、実施の形態２に係る撮像装置と、収納状態において退避されるブロックが、像側レンズ群６の光軸ＡＸ２方向ではなく、光軸ＡＸ２に直交する方向に退避される点で相違する。
【００５８】
図９（ａ）に示す撮像状態から、図９（ｂ）に示す収納状態へ移行する場合、はじめに反射光学素子５及びレンズ素子５ｂとが矢印ａ４に従って光軸ＡＸ２に直交する方向に移動する。次に、反射光学素子５及びレンズ素子５ｂとが移動した結果、形成された空間に物体側レンズ群４を保持するレンズ保持筒が矢印ａ１に従って光軸ＡＸ１に沿って沈胴して収納状態への移行が完了する。
【００５９】
一方、図９（ｂ）に示す収納状態から、図９（ａ）に示す撮像状態へ移行する場合、物体側レンズ群４を保持するレンズ保持筒が矢印ｂ１に従って光軸ＡＸ１に沿って繰り出される。物体側レンズ群４を保持するレンズ保持筒が繰り出された結果、形成された空間に反射光学素子５とレンズ素子５ｂとが矢印ｂ４に従って光軸ＡＸ２に直交する方向に移動して撮像状態への移行が完了する。
【００６０】
以上のように、実施の形態４に係るレンズ鏡筒によれば、実施の形態２において説明した共通の構成に加えて、反射光学素子を光軸ＡＸ２に直交する方向に退避するので、収納状態への移行に際して像側レンズ群を移動する必要がない。このため、機構を簡単にすることができるとともに、レンズ鏡筒を光軸ＡＸ２方向にコンパクトに構成することができる。
（実施の形態５）
図１０（ａ）は、本発明の実施の形態５に係る撮像装置を適用したカメラの撮像状態の概略構成を示す透過斜視図、図１０（ｂ）は、実施の形態５に係る撮像装置を適用したカメラの収納状態の概略構成を示す透過斜視図である。図１０（ａ）及び図１０（ｂ）において、実施の形態１にて説明した構成と同一の構成については、同一の符号を付し、その説明を省略する。
【００６１】
実施の形態５に係る撮像装置は、実施の形態１〜４に係る撮像装置と、同一であるが、カメラに配置する際の光軸ＡＸ２の配置方向レイアウトが異なる。すなわち、実施の形態１〜４に係る撮像装置を適用したカメラは、シャッターボタン３のストローク方向に対して、光軸ＡＸ２を垂直に配置し撮像装置を横置きするレイアウトを採用していた。これに対して、実施の形態５に係る撮像装置を適用したカメラは、シャッターボタン３のストローク方向に対して、光軸ＡＸ２を平行に配置し撮像装置を縦置きするレイアウトを採用している。
【００６２】
このように、実施の形態５に係る撮像装置は、カメラに適用する場合の配置自由度を拡大することができ、カメラの意匠を創作する際の自由度を向上させることができる。
（実施の形態６〜１２）
以下、図面を参照しながら、実施の形態１〜５の撮像装置に適用可能なズームレンズ系を、さらに詳細に説明する。図１１は、本発明の実施の形態６に係るズームレンズ系のレンズ配置図である。図１３は、本発明の実施の形態７に係るズームレンズ系のレンズ配置図である。図１５は、本発明の実施の形態８に係るズームレンズ系のレンズ配置図である。図１７は、本発明の実施の形態９に係るズームレンズ系のレンズ配置図である。図１９は、本発明の実施の形態１０に係るズームレンズ系のレンズ配置図である。図２１は、本発明の実施の形態１１に係るズームレンズ系のレンズ配置図である。図２３は、本発明の実施の形態１２に係るズームレンズ系のレンズ配置図である。図１１、１３、１５、１７、１９、２１及び２３において、（ａ）は、広角端（最短焦点距離状態：焦点距離ｆW）のレンズ構成、（ｂ）は中間位置（中間焦点距離状態：焦点距離ｆM＝√（ｆW＊ｆT））のレンズ構成、（ｃ）は望遠端（最長焦点距離状態：焦点距離ｆT）のレンズ構成をそれぞれ表している。
【００６３】
各実施の形態に係るズームレンズ系は、いずれも物体側から像側へと順に、正のパワーを有する第１レンズ群Ｇ１と、負のパワーを有する第２レンズ群Ｇ２と、絞りＡと、正のパワーを有する第３レンズ群Ｇ３と、正のパワーを有する第４レンズ群Ｇ４と、正のパワーを有する第５レンズ群Ｇ５とを備える。なお、各実施の形態において、反射光学プリズムＬ５は、内部に反射面を持つプリズムに相当する構成であり、反射面の位置は省略して記載している。また、各図において、図中最も右側に記載された直線は、像面Ｓの位置を表し、その物体側には光学的ローパスフィルタや撮像素子のフェースプレート等と等価な平行平板Ｐを設けている。実施の形態６〜１２に係るズームレンズ系は、これらの各レンズ群を所望のパワー配置にすることにより、高変倍率を達成し光学性能を保ちつつレンズ系全体の小型化を可能にしている。
【００６４】
各実施の形態に係るズームレンズ系において、第１レンズ群Ｇ１は、物体側から像側へと順に、物体側に凸面を向けた負メニスカス形状の第１レンズ素子Ｌ１と、物体側に凸面を向けた平凸形状の第２レンズ素子Ｌ２と、物体側に凸面を向けた正メニスカス形状の第３レンズ素子Ｌ３とからなる。各実施の形態に係るズームレンズ系において、第１レンズ素子Ｌ１と第２レンズ素子Ｌ２とは接合されている。
【００６５】
図１１に示すように、実施の形態６に係るズームレンズ系において、第２レンズ群Ｇ２は、物体側から像側へと順に、物体側に凸面を向けた負メニスカス形状の第４レンズ素子Ｌ４と、入射面及び出射面とも平面である反射光学プリズムＬ５と、両凹形状の第６レンズ素子Ｌ６と、両凸形状の第７レンズ素子Ｌ７と、像側に凸面を向けた負メニスカス形状である第８レンズ素子Ｌ８とからなる。実施の形態６に係るズームレンズ系において、第７レンズ素子Ｌ７と第８レンズ素子Ｌ８とは接合されている。
【００６６】
実施の形態６に係るズームレンズ系において、第３レンズ群Ｇ３は、物体側から像側へと順に、物体側に凸面を向けた正メニスカス形状の第９レンズ素子Ｌ９と、物体側に凸面を向けた正メニスカス形状の第１０レンズ素子Ｌ１０と、像側に凹面を向けた負メニスカス形状の第１１レンズ素子Ｌ１１とからなる。これらのうち、第１０レンズ素子Ｌ１０と第１１レンズ素子Ｌ１１とは接合されている。また、実施の形態６に係るズームレンズ系において、第４レンズ群Ｇ４は、物体側に凸面を向けた正メニスカス形状の第１２レンズ素子Ｌ１２のみからなる。さらに、実施の形態６に係るズームレンズ系において、第５レンズ群Ｇ５は、物体側から像側へと順に、両凸形状の第１３レンズ素子Ｌ１３と、像側に凸面を向けた負メニスカス形状の第１４レンズ素子Ｌ１４とからなる。第１３レンズ素子Ｌ１３と第１４レンズ素子Ｌ１４とは接合されている。
【００６７】
実施の形態６に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を拡大させながら物体側へ移動する。また、実施の形態６に係るズームレンズ系において、広角端から望遠端へ向けてズーミングを行う際、第２レンズ群Ｇ２と第５レンズ群Ｇ５とは、像面に対して固定される。
【００６８】
図１３に示すように、実施の形態７に係るズームレンズ系において、第２レンズ群Ｇ２は、物体側から像側へと順に、物体側に凸面を向けた負メニスカス形状の第４レンズ素子Ｌ４と、入射面及び出射面とも平面である反射光学プリズムＬ５と、両凹形状の第６レンズ素子Ｌ６と、両凸形状の第７レンズ素子Ｌ７とからなる。
【００６９】
実施の形態７に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０とからなる。これらのうち、第９レンズ素子Ｌ９と第１０レンズ素子Ｌ１０とは接合されている。また、実施の形態７に係るズームレンズ系において、第４レンズ群Ｇ４は、物体側に凸面を向けた正メニスカス形状の第１１レンズ素子Ｌ１１のみからなる。さらに、実施の形態７に係るズームレンズ系において、第５レンズ群Ｇ５は、物体側から像側へと順に、両凸形状の第１２レンズ素子Ｌ１２と、像側に凸面を向けた負メニスカス形状の第１３レンズ素子Ｌ１３とからなる。第１２レンズ素子Ｌ１２と第１３レンズ素子Ｌ１３とは接合されている。
【００７０】
実施の形態７に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に凸の軌跡を描いて移動する。また、実施の形態７に係るズームレンズ系において、広角端から望遠端へ向けてズーミングを行う際、第２レンズ群Ｇ２と第５レンズ群Ｇ５とは、像面に対して固定される。
【００７１】
図１５に示すように、実施の形態８に係るズームレンズ系において、第２レンズ群Ｇ２は、物体側から像側へと順に、物体側に凸面を向けた負メニスカス形状の第４レンズ素子Ｌ４と、入射面及び出射面とも平面である反射光学プリズムＬ５と、両凹形状の第６レンズ素子Ｌ６と、両凸形状の第７レンズ素子Ｌ７とからなる。
【００７２】
実施の形態８に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０とからなる。これらのうち、第９レンズ素子Ｌ９と第１０レンズ素子Ｌ１０とは接合されている。また、実施の形態８に係るズームレンズ系において、第４レンズ群Ｇ４は、物体側に凸面を向けた正メニスカス形状の第１１レンズ素子Ｌ１１のみからなる。さらに、実施の形態８に係るズームレンズ系において、第５レンズ群Ｇ５は、物体側から像側へと順に、両凸形状の第１２レンズ素子Ｌ１２と、像側に凸面を向けた負メニスカス形状の第１３レンズ素子Ｌ１３とからなる。第１２レンズ素子Ｌ１２と第１３レンズ素子Ｌ１３とは接合されている。
【００７３】
実施の形態８に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に凸の軌跡を描いて移動する。また、実施の形態８に係るズームレンズ系において、広角端から望遠端へ向けてズーミングを行う際、第２レンズ群Ｇ２と第５レンズ群Ｇ５とは、像面に対して固定される。
【００７４】
図１７に示すように、実施の形態９に係るズームレンズ系において、第２レンズ群Ｇ２は、物体側から像側へと順に、物体側に凸面を向けた負メニスカス形状の第４レンズ素子Ｌ４と、入射面及び出射面とも平面である反射光学プリズムＬ５と、両凹形状の第６レンズ素子Ｌ６と、両凸形状の第７レンズ素子Ｌ７とからなる。
【００７５】
実施の形態９に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０とからなる。これらのうち、第９レンズ素子Ｌ９と第１０レンズ素子Ｌ１０とは接合されている。また、実施の形態９に係るズームレンズ系において、第４レンズ群Ｇ４は、物体側に凸面を向けた正メニスカス形状の第１１レンズ素子Ｌ１１のみからなる。さらに、実施の形態９に係るズームレンズ系において、第５レンズ群Ｇ５は、物体側から像側へと順に、両凸形状の第１２レンズ素子Ｌ１２と、像側に凸面を向けた負メニスカス形状の第１３レンズ素子Ｌ１３とからなる。第１２レンズ素子Ｌ１２と第１３レンズ素子Ｌ１３とは接合されている。
【００７６】
実施の形態９に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に凸の軌跡を描いて移動する。また、実施の形態９に係るズームレンズ系において、広角端から望遠端へ向けてズーミングを行う際、第２レンズ群Ｇ２と第５レンズ群Ｇ５とは、像面に対して固定される。
【００７７】
図１９に示すように、実施の形態１０に係るズームレンズ系において、第２レンズ群Ｇ２は、物体側から像側へと順に、物体側に凸面を向けた負メニスカス形状の第４レンズ素子Ｌ４と、入射面が平面で出射面が凹面である反射光学プリズムＬ５と、両凸形状の第６レンズ素子Ｌ６と、両凹形状の第７レンズ素子Ｌ７とからなる。これらのうち、第６レンズ素子Ｌ６と第７レンズ素子Ｌ７とは接合されている。
【００７８】
実施の形態１０に係るズームレンズ系において、第３レンズ群Ｇ３は、物体側から像側へと順に、物体側に凸面を向けた正メニスカス形状の第８レンズ素子Ｌ８と、物体側に凸面を向けた正メニスカス形状の第９レンズ素子Ｌ９と、像側に凹面を向けた負メニスカス形状の第１０レンズ素子Ｌ１０とからなる。これらのうち、第９レンズ素子Ｌ９と第１０レンズ素子Ｌ１０とは接合されている。また、実施の形態１０に係るズームレンズ系において、第４レンズ群Ｇ４は、物体側に凸面を向けた正メニスカス形状の第１１レンズ素子Ｌ１１のみからなる。さらに、実施の形態１０に係るズームレンズ系において、第５レンズ群Ｇ５は、物体側から像側へと順に、両凸形状の第１２レンズ素子Ｌ１２と、像側に凸面を向けた負メニスカス形状の第１３レンズ素子Ｌ１３とからなる。第１２レンズ素子Ｌ１２と第１３レンズ素子Ｌ１３とは接合されている。
【００７９】
実施の形態１０に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に移動する。また、実施の形態１０に係るズームレンズ系において、広角端から望遠端へ向けてズーミングを行う際、第２レンズ群Ｇ２と第５レンズ群Ｇ５とは、像面に対して固定される。
【００８０】
図２１に示すように、実施の形態１１に係るズームレンズ系において、第２レンズ群Ｇ２は、物体側から像側へと順に、物体側に凸面を向けた負メニスカス形状の第４レンズ素子Ｌ４と、入射面が平面で出射面が凹面である反射光学プリズムＬ５と、両凹形状の第６レンズ素子Ｌ６と、両凸形状の第７レンズ素子Ｌ７とからなる。これらのうち、第６レンズ素子Ｌ６と第７レンズ素子Ｌ７とは接合されている。
【００８１】
実施の形態１１に係るズームレンズ系において、第３レンズ群Ｇ３は、物体側から像側へと順に、物体側に凸面を向けた正メニスカス形状の第８レンズ素子Ｌ８と、物体側に凸面を向けた正メニスカス形状の第９レンズ素子Ｌ９と、像側に凹面を向けた負メニスカス形状の第１０レンズ素子Ｌ１０とからなる。これらのうち、第９レンズ素子Ｌ９と第１０レンズ素子Ｌ１０とは接合されている。また、実施の形態１１に係るズームレンズ系において、第４レンズ群Ｇ４は、物体側に凸面を向けた正メニスカス形状の第１１レンズ素子Ｌ１１のみからなる。さらに、実施の形態１１に係るズームレンズ系において、第５レンズ群Ｇ５は、物体側から像側へと順に、両凸形状の第１２レンズ素子Ｌ１２と、像側に凸面を向けた負メニスカス形状の第１３レンズ素子Ｌ１３とからなる。第１２レンズ素子Ｌ１２と第１３レンズ素子Ｌ１３とは接合されている。
【００８２】
実施の形態１１に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に移動する。また、実施の形態１１に係るズームレンズ系において、広角端から望遠端へ向けてズーミングを行う際、第２レンズ群Ｇ２と第５レンズ群Ｇ５とは、像面に対して固定される。
【００８３】
図２３に示すように、実施の形態１２に係るズームレンズ系において、第２レンズ群Ｇ２は、物体側から像側へと順に、物体側に凸面を向けた負メニスカス形状の第４レンズ素子Ｌ４と、入射面が平面で出射面が凹面である反射光学プリズムＬ５と、物体側に凸面を向けた正メニスカス形状の第６レンズ素子Ｌ６とからなる。
【００８４】
実施の形態１２に係るズームレンズ系において、第３レンズ群Ｇ３は、物体側から像側へと順に、両凸形状の第７レンズ素子Ｌ７と、物体側に凸面を向けた正メニスカス形状の第８レンズ素子Ｌ８と、像側に凹面を向けた負メニスカス形状の第９レンズ素子Ｌ９とからなる。これらのうち、第８レンズ素子Ｌ８と第９レンズ素子Ｌ９とは接合されている。また、実施の形態１２に係るズームレンズ系において、第４レンズ群Ｇ４は、物体側に凸面を向けた正メニスカス形状の第１０レンズ素子Ｌ１０のみからなる。さらに、実施の形態１２に係るズームレンズ系において、第５レンズ群Ｇ５は、物体側から像側へと順に、両凸形状の第１１レンズ素子Ｌ１１と、像側に凸面を向けた負メニスカス形状の第１２レンズ素子Ｌ１２とからなる。第１１レンズ素子Ｌ１１と第１２レンズ素子Ｌ１２とは接合されている。
【００８５】
実施の形態１２に係るズームレンズ系において、広角端から望遠端へ向けてズーミングを行う際、第１レンズ群Ｇ１及び第３レンズ群Ｇ３は、物体側へ移動し、第４レンズ群Ｇ４は、第３レンズ群Ｇ３との間隔を変化させながら物体側に移動する。また、実施の形態１２に係るズームレンズ系において、広角端から望遠端へ向けてズーミングを行う際、第２レンズ群Ｇ２と第５レンズ群Ｇ５とは、像面に対して固定される。
【００８６】
以下、実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系が満足すべき条件を説明する。なお、各実施の形態に係るズームレンズ系に対して、複数の満足すべき条件が規定されるが、各条件すべてを満足するズームレンズ系の構成が最も望ましい。しかしながら、個別の条件を満足することにより、それぞれ対応する効果を奏するズームレンズ系を得ることも可能である。
【００８７】
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（１）を満足することが望ましい。
【００８８】
０．５０＜ΣＤ／ΣｄAIR＜１．００  ・・・（１）
ここで、
ΣＤ：第２レンズ群と、第２レンズ群よりも像側にあってズーミングにおいて光軸方向        に移動しないレンズ群との間に配置される各レンズ群の光軸上の厚さの総和、
ΣｄAIR：第２レンズ群と、第２レンズ群よりも像側にあってズーミングにおいて光軸            方向に移動しないレンズ群との間に配置される各レンズ群間の光軸上の空気            間隔の総和
である。
【００８９】
条件（１）は、撮像装置の収納状態の厚みに関する条件である。条件（１）の上限を超えると、退避される光学要素が大きくなるため、撮像装置が大きくなる。一方、条件（１）の下限を超えると、ズームレンズ系全体での充分な収差補正が困難となる。
【００９０】
なお、さらに以下の条件（１）’及び条件（１）’’の少なくとも一方の範囲を満足することにより、上述した効果をさらに奏功させることができる。
【００９１】
０．５５＜ΣＤ／ΣｄAIR    ・・・（１）’
ΣＤ／ΣｄAIR＜０．８０    ・・・（１）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態１、実施の形態３及び実施の形態５のように、反射光学素子よりも物体側にある光学要素のうちの一部を、収納状態において撮像状態の位置から退避させる撮像装置に適用する場合、ズームレンズ系は、以下の条件（２）を満足することが望ましい。
【００９２】
０．６０＜Ｄ1／Ｄ2＜０．８５  ・・・（２）
ここで、
Ｄ1：収納時に退避される光学要素よりも物体側に配置されるすべての光学要素におい        て、最も物体側の面から最も像側の面までの光軸上の距離、
Ｄ2：収納時に退避される光学要素において、最も物体側の面から最も像側の面までの        光軸上の距離
である。
【００９３】
条件（２）は、撮像装置の収納状態の厚みに関する条件である。条件（２）の上限を超えると、退避される光学要素より物体側に配置される光学要素が大きくなるため、撮像装置の厚み方向が大きくなってしまう。一方、条件（２）の下限を超えると、退避される光学要素が大きくなるため、退避位置の空間が大きくなり、撮像装置の幅もしくは高さ方向が大きくなってしまう。
【００９４】
なお、さらに以下の条件（２）’及び条件（２）’’の少なくとも一方の範囲を満足することにより、上述した効果をさらに奏功させることができる。
【００９５】
０．６８＜Ｄ1／Ｄ2  ・・・（２）’
Ｄ1／Ｄ2＜０．７５  ・・・（２）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態２及び実施の形態４のように、反射光学素子よりも物体側にある光学要素を、収納状態においてすべて撮像状態の位置から退避させる撮像装置に適用する場合、ズームレンズ系は、以下の条件（３）を満足することが望ましい。
【００９６】
０．４５＜Ｄ1’／Ｄ2’＜０．６５  ・・・（３）
ここで、
Ｄ1’：収納時に退避される光学要素よりも物体側に配置されるすべての光学要素にお          いて、最も物体側の面から最も像側の面までの光軸上の距離、
Ｄ2’：収納時に退避される光学要素において、最も物体側の面から最も像側の面まで          の光軸上の距離
である。
【００９７】
条件（３）は、撮像装置の収納状態の厚みに関する条件である。条件（３）の上限を超えると、退避される光学要素より物体側に配置される光学要素が大きくなるため、撮像装置の厚み方向が大きくなってしまう。一方、条件（３）の下限を超えると、退避される光学要素が大きくなるため、退避位置の空間が大きくなり、撮像装置の幅もしくは高さ方向が大きくなってしまう。
【００９８】
なお、さらに以下の条件（３）’及び条件（３）’’の少なくとも一方の範囲を満足することにより、上述した効果をさらに奏功させることができる。
【００９９】
０．５２＜Ｄ1’／Ｄ2’  ・・・（３）’
Ｄ1’／Ｄ2’＜０．５６  ・・・（３）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態１、実施の形態３及び実施の形態５のように、反射光学素子よりも物体側にある光学要素のうちの一部を、収納状態において撮像状態の位置から退避させる撮像装置に適用する場合、ズームレンズ系は、以下の条件（４）を満足することが望ましい。
【０１００】
２．００＜Ｄ1／ＩV＜２．８０  ・・・（４）
ここで、
Ｄ1：収納時に退避される光学要素よりも物体側に配置されるすべての光学要素におい        て、最も物体側の面から最も像側の面までの光軸上の距離、
ＩV：撮像素子の短辺方向の長さ
である。
【０１０１】
条件（４）は、撮像装置の収納状態の厚みに関する条件である。条件（４）の上限を超えると、退避される光学要素より物体側に配置される光学要素が大きくなるため、撮像装置の厚み方向が大きくなってしまう。一方、条件（４）の下限を超えると、ズームレンズ系全体の収差変動が大きくなるため、好ましくない。
【０１０２】
なお、さらに以下の条件（４）’及び条件（４）’’の少なくとも一方の範囲を満足することにより、上述した効果をさらに奏功させることができる。
【０１０３】
２．３０＜Ｄ1／ＩV  ・・・（４）’
Ｄ1／ＩV＜２．６０  ・・・（４）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態２及び実施の形態４のように、反射光学素子よりも物体側にある光学要素を、収納状態においてすべて撮像状態の位置から退避させる撮像装置に適用する場合、ズームレンズ系は、以下の条件（５）を満足することが望ましい。
【０１０４】
２．００＜Ｄ1’／ＩV＜２．８０  ・・・（５）
ここで、
Ｄ1’：収納時に退避される光学要素よりも物体側に配置されるすべての光学要素にお          いて、最も物体側の面から最も像側の面までの光軸上の距離、
ＩV：撮像素子の短辺方向の長さ
である。
【０１０５】
条件（５）は、撮像装置の収納状態の厚みに関する条件である。条件（５）の上限を超えると、退避される光学要素より物体側に配置される光学要素が大きくなるため、撮像装置の厚み方向が大きくなってしまう。一方、条件（５）の下限を超えると、ズームレンズ系全体の収差変動が大きくなるため、好ましくない。
【０１０６】
なお、さらに以下の条件（５）’及び条件（５）’’の少なくとも一方の範囲を満足することにより、上述した効果をさらに奏功させることができる。
【０１０７】
２．２０＜Ｄ1’／ＩV  ・・・（５）’
Ｄ1’／ＩV＜２．５０  ・・・（５）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態１、実施の形態３及び実施の形態５のように、反射光学素子よりも物体側にある光学要素のうちの一部を、収納状態において撮像状態の位置から退避させる撮像装置に適用する場合、ズームレンズ系は、以下の条件（６）を満足することが望ましい。
【０１０８】
３．００＜Ｄ2／ＩV＜４．００  ・・・（６）
ここで、
Ｄ2：収納時に退避される光学要素において、最も物体側の面から最も像側の面までの        光軸上の距離、
ＩV：撮像素子の短辺方向の長さ
である。
【０１０９】
条件（６）は、撮像装置の収納状態の厚みに関する条件である。条件（６）の上限を超えると、退避される光学要素が大きくなるため、退避位置の空間が大きくなり、撮像装置の幅もしくは高さ方向が大きくなってしまう。一方、条件（６）の下限を超えると、ズームレンズ系全体の収差変動が大きくなるため、好ましくない。
【０１１０】
なお、さらに以下の条件（６）’及び条件（６）’’の少なくとも一方の範囲を満足することにより、上述した効果をさらに奏功させることができる。
【０１１１】
３．２０＜Ｄ2／ＩV  ・・・（６）’
Ｄ2／ＩV＜３．５０  ・・・（６）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系を、実施の形態２及び実施の形態４のように、反射光学素子よりも物体側にある光学要素を、収納状態においてすべて撮像状態の位置から退避させる撮像装置に適用する場合、ズームレンズ系は、以下の条件（７）を満足することが望ましい。
【０１１２】
３．８０＜Ｄ2’／ＩV＜５．２０  ・・・（７）
Ｄ2’：収納時に退避される光学要素において、最も物体側の面から最も像側の面まで          の光軸上の距離、
ＩV：撮像素子の短辺方向の長さ
である。
【０１１３】
条件（７）は、撮像装置の収納状態の厚みに関する条件である。条件（７）の上限を超えると、退避される光学要素が大きくなるため、退避位置の空間が大きくなり、撮像装置の幅もしくは高さ方向が大きくなってしまう。一方、条件（７）の下限を超えると、ズームレンズ系全体の収差変動が大きくなるため、好ましくない。
【０１１４】
なお、さらに以下の条件（７）’及び条件（７）’’の少なくとも一方の範囲を満足することにより、上述した効果をさらに奏功させることができる。
【０１１５】
４．００＜Ｄ2’／ＩV  ・・・（７）’
Ｄ2’／ＩV＜４．５０  ・・・（７）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（８）を満足することが望ましい。
【０１１６】
−１．５０＜ｆ2／ｆW＜−１．００  ・・・（８）
（ただし、Ｚ＝ｆT／ｆW＞５．０）
ここで、
ｆ2：第２レンズ群の合成焦点距離、
ｆW：全系の広角端での焦点距離、
ｆT：全系の望遠端での焦点距離
である。
【０１１７】
条件（８）は、撮像装置の収納状態で移動される第２レンズ群の誤差感度に関する条件である。条件（８）の上限を超えると、第２レンズ群で発生する収差が過大となるため、ズームレンズ系全体で発生するコマ収差の補正が困難となる。一方、条件（８）の下限を超えると、必要とする第１レンズ群の有効径が大きくなり、ズームレンズ系全体が大きくなってしまう。
【０１１８】
なお、さらに以下の条件（８）’及び条件（８）’’の少なくとも一方の範囲を満足することにより、上述した効果をさらに奏功させることができる。
【０１１９】
−１．３５＜ｆ2／ｆW  ・・・（８）’
ｆ2／ｆW＜−１．２５  ・・・（８）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（９）を満足することが望ましい。
【０１２０】
５．００＜ｆ1／ｆW＜８．００  ・・・（９）
（ただし、Ｚ＝ｆT／ｆW＞５．０）
ここで、
ｆ1：第１レンズ群の合成焦点距離、
ｆW：全系の広角端での焦点距離、
ｆT：全系の望遠端での焦点距離
である。
【０１２１】
条件（９）は、撮像装置の収納状態で移動される反射面の大きさに関する条件である。条件（９）の上限を超えると、必要とする反射面が大きくなり、第２レンズ群全体が大きくなってしまうため、ズームレンズ系全体が大きくなる。一方、条件（９）の下限を超えると、反射面を小さくすることができるが、充分な収差補正が困難となる。
【０１２２】
なお、さらに以下の条件（９）’及び条件（９）’’の少なくとも一方の範囲を満足することにより、上述した効果をさらに奏功させることができる。
【０１２３】
６．００＜ｆ1／ｆW  ・・・（９）’
ｆ1／ｆW＜７．５０  ・・・（９）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（１０）を満足することが望ましい。
【０１２４】
０．８０＜Ｍ1／Ｍ3＜１．４０  ・・・（１０）
（ただし、Ｚ＝ｆT／ｆW＞５．０）
ここで、
Ｍ1：広角端から望遠端へズーミング時の第１レンズ群の移動量、
Ｍ3：広角端から望遠端へズーミング時の第３レンズ群の移動量、
ｆW：全系の広角端での焦点距離、
ｆT：全系の望遠端での焦点距離
である。
【０１２５】
条件（１０）は、第１レンズ群の移動量を規定し、撮像装置の撮像状態の厚みを決定する条件である。条件（１０）の上限を超えると、第１レンズ群の移動量が増加し、望遠端での光学全長が長くなるため、第１レンズ群の繰り出し量が大きくなり、レンズ鏡筒の機構が複雑になる。一方、条件（１０）の下限を超えると、所望のズーム比を確保するとともに良好な結像特性を確保することが困難となる。
【０１２６】
なお、さらに以下の条件（１０）’及び条件（１０）’’の少なくとも一方の範囲を満足することにより、上述した効果をさらに奏功させることができる。
【０１２７】
０．９０＜Ｍ1／Ｍ3  ・・・（１０）’
Ｍ1／Ｍ3＜１．２０  ・・・（１０）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（１１）を満足することが望ましい。
【０１２８】
３．００＜Ｍ1／ＩH＜５．００  ・・・（１１）
（ただし、Ｚ＝ｆT／ｆW＞５．０）
ここで、
Ｍ1：広角端から望遠端へズーミング時の第１レンズ群の移動量、
ＩH：撮像素子の長辺方向の長さ、
ｆW：全系の広角端での焦点距離、
ｆT：全系の望遠端での焦点距離
である。
【０１２９】
条件（１１）は、第１レンズ群の移動量を規定し、撮像装置の厚みを決定する条件である。条件（１１）の上限を超えると、第１レンズ群の移動量が増加し、望遠端での光学全長が長くなるため、撮像装置の厚みが大きくなる。一方、条件（１１）の下限を超えると、ズームレンズ系全体の収差変動が大きくなるため、好ましくない。
【０１３０】
なお、さらに以下の条件（１１）’及び条件（１１）’’の少なくとも一方の範囲を満足することにより、上述した効果をさらに奏功させることができる。
【０１３１】
３．５０＜Ｍ1／ＩH  ・・・（１１）’
Ｍ1／ＩH＜４．５０  ・・・（１１）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（１２）を満足することが望ましい。
【０１３２】
０．４５＜Ｒi／Ｉmg＜０．６５  ・・・（１２）
ここで、
Ｒi：反射光学素子の反射面上で反射する光束を撮像素子側の光軸に垂直な面に射影し        たときの光束の有効径、
Ｉmg：像円径
である。
【０１３３】
条件（１２）は、反射面の大きさを規定する条件である。条件（１２）の上限を超えると、ズームレンズ系全体が大きくなるため、好ましくない。一方、条件（１２）の下限を超えると、反射面を小さくすることができるが、充分な収差補正が困難となる。
【０１３４】
なお、さらに以下の条件（１２）’及び条件（１２）’’の少なくとも一方の範囲を満足することにより、上述した効果をさらに奏功させることができる。
【０１３５】
０．５０＜Ｒi／Ｉmg  ・・・（１２）’
Ｒi／Ｉmg＜０．６０  ・・・（１２）’’
実施の形態６〜１２に係るズームレンズ系のように、物体側から像側へと順に、正のパワーを有する第１レンズ群と、負のパワーを有する第２レンズ群とを備え、第２レンズ群中に反射面を含むズームレンズ系は、以下の条件（１３）を満足することが望ましい。
【０１３６】
−２．８０＜ｆOJTW／ｆW＜−１．８０  ・・・（１３）
（ただし、Ｚ＝ｆT／ｆW＞５．０）
ここで、
ｆOJTW：広角端における反射面よりも物体側に配置されるレンズ群の合成焦点距離、
ｆW：全系の広角端での焦点距離、
ｆT：全系の望遠端での焦点距離
である。
【０１３７】
条件（１３）は、反射面よりも物体側の焦点距離を規定し、反射面の大きさを決定する条件である。条件（１３）の上限を超えると、ズームレンズ系全体が大きくなるため、好ましくない。一方、条件（１３）の下限を超えると、充分な収差補正が困難となる。
【０１３８】
なお、さらに以下の条件（１３）’及び条件（１３）’’の少なくとも一方の範囲を満足することにより、上述した効果をさらに奏功させることができる。
【０１３９】
−２．５０＜ｆOJTW／ｆW  ・・・（１３）’
ｆOJTW／ｆW＜−２．００  ・・・（１３）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群と、正のパワーを有する第３レンズ群と、正のパワーを有する第４レンズ群とを含むズームレンズ系は、以下の条件（１４）を満足することが望ましい。
【０１４０】
４．００＜ｆ4／ｆW＜７．００  ・・・（１４）
（ただし、Ｚ＝ｆT／ｆW＞５．０）
ここで、
ｆ4：第４レンズ群の合成焦点距離、
ｆW：全系の広角端での焦点距離、
ｆT：全系の望遠端での焦点距離
である。
【０１４１】
条件（１４）は、第４レンズ群の焦点距離を規定する条件である。条件（１４）の上限を超えると、ズームレンズ系全体における球面収差及び像面湾曲をバランス良く補正することが困難となる。一方、条件（１４）の下限を超えると、フォーカシングを行う際の移動量が大きくなってしまい、好ましくない。
【０１４２】
なお、さらに以下の条件（１４）’及び条件（１４）’’の少なくとも一方の範囲を満足することにより、上述した効果をさらに奏功させることができる。
【０１４３】
４．５０＜ｆ4／ｆW  ・・・（１４）’
ｆ4／ｆW＜６．５０  ・・・（１４）’’
（ただし、Ｚ＝ｆT／ｆW＞５．０）
実施の形態６〜１２に係るズームレンズ系のように、物体側から像側へと順に、正のパワーを有する第１レンズ群と、負のパワーを有する第２レンズ群と、正のパワーを有する第３レンズ群と、正のパワーを有する第４レンズ群とを含むズームレンズ系は、以下の条件（１５）を満足することが望ましい。
【０１４４】
−０．２５＜βT4／βW4＜０．８０  ・・・（１５）
（ただし、Ｚ＝ｆT／ｆW＞５．０、βT4／βW4≠０）
ここで、
βT4：無限遠合焦状態における望遠端の第４レンズ群の倍率、
βW4：無限遠合焦状態における広角端の第４レンズ群の倍率、
ｆW：全系の広角端での焦点距離、
ｆT：全系の望遠端での焦点距離
である。
【０１４５】
条件（１５）は、第４レンズ群の倍率変化を規定し、第４レンズ群のズーム貢献を規定する条件である。条件（１５）の上限を超えると、ズームレンズ系全体における収差をバランス良く補正することが困難となる。一方、条件（１５）の下限を超えると、所望のズーム比を得ることが困難となる。
【０１４６】
なお、さらに以下の条件（１５）’及び条件（１５）’’の少なくとも一方の範囲を満足することにより、上述した効果をさらに奏功させることができる。
【０１４７】
０．００＜βT4／βW4  ・・・（１５）’
βT4／βW4＜０．７０  ・・・（１５）’’
（ただし、Ｚ＝ｆT／ｆW＞５．０、βT4／βW4≠０）
実施の形態６〜１２に係るズームレンズ系のように、物体側から像側へと順に、正のパワーを有する第１レンズ群と、負のパワーを有する第２レンズ群と、正のパワーを有する第３レンズ群と、正のパワーを有する第４レンズ群とを含むズームレンズ系は、以下の条件（１６）を満足することが望ましい。
【０１４８】
２．００＜ｆ3／ｆ4＜５．００  ・・・（１６）
（ただし、Ｚ＝ｆT／ｆW＞５．０）
ここで、
ｆ3：第３レンズ群の合成焦点距離、
ｆ4：第４レンズ群の合成焦点距離、
ｆW：全系の広角端での焦点距離、
ｆT：全系の望遠端での焦点距離
である。
【０１４９】
条件（１６）は、第３レンズ群と第４レンズ群との焦点距離の比を規定し、ズーム時の各レンズ群の機能を規定する条件である。条件（１６）の上限を超えると、第３レンズ群のズーミング作用が減少し、所望のズーム比を得ることが困難となる。一方、条件（１６）の下限を超えると、ズームレンズ系全体における非点収差の補正が困難となる。
【０１５０】
なお、さらに以下の条件（１６）’及び条件（１６）’’の少なくとも一方の範囲を満足することにより、上述した効果をさらに奏功させることができる。
【０１５１】
３．００＜ｆ3／ｆ4  ・・・（１６）’
ｆ3／ｆ4＜４．００  ・・・（１６）’’
（ただし、Ｚ＝ｆT／ｆW＞５．０）
なお、実施の形態６〜１２に係るズームレンズ系は、いずれも物体側から像側へと順に、正のパワーを有する第１レンズ群と、負のパワーを有する第２レンズ群と、正のパワーを有する第３レンズ群と、正のパワーを有する第４レンズ群と、正のパワーを有する第５レンズ群とからなる正負正正正の５成分構成のズームレンズ系であったが、かかる構成に限定されるものではない。正負正正の４成分構成、正負正の３成分構成、正負正負正の５成分構成等、正のパワーを有する第１レンズ群と、負のパワーを有する第２レンズ群と、後続するレンズ群からなるズームレンズ系であれば、実施の形態１〜５に示したレンズ鏡筒あるいは撮像装置に適用することができる。
【０１５２】
なお、実施の形態６〜１２を構成している各レンズ群は、入射光線を屈折により偏向させる屈折型レンズ素子（つまり、異なる屈折率を有する媒質同士の界面で偏向が行われるタイプのレンズ素子）のみで構成されているが、かかる構成に限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０１５３】
さらに、実施の形態６〜１２では、ズームレンズ系の最終面と像面Ｓとの間に配置される光学的ローパスフィルタを含む平板を配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。また、各実施の形態において、ズームレンズ系の光学的な像を受光する固体撮像素子の特性に応じてローパスフィルタを省略してもよい。
【０１５４】
また、以上説明した実施の形態６〜１２に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用してもよい。
【０１５５】
また、以上説明した実施の形態６〜１２に係るズームレンズ系と、デジタルスチルカメラの構成は、動画を対象としたデジタルビデオカメラに用いることもできる。この場合には、静止画だけでなく、解像度の高い動画を撮影することができる。
【０１５６】
以下、実施の形態６〜１２に係るズームレンズ系を具体的に実施した数値実施例を説明する。なお、各数値実施例において、表中の長さの単位はすべてｍｍである。また、各数値実施例において、ｒは曲率半径、ｄは面間隔、ｎｄはｄ線における屈折率、νｄはアッベ数である。また、各数値実施例において、＊印を付した面は非球面であり、非球面形状は次式で定義している。
【０１５７】
【数１】
2006259685.tif 000003
ここで、κは円錐定数、Ｄ、Ｅ、Ｆ、Ｇ、Ｈ、Ｉ及びＪは、それぞれ４次、６次、８次、１０次、１２次、１４次及び１６次の非球面係数である。
【０１５８】
図１２は、実施例１に係るズームレンズ系の縦収差図である。図１４は、実施例２に係るズームレンズ系の縦収差図である。図１６は、実施例３に係るズームレンズ系の縦収差図である。図１８は、実施例４に係るズームレンズ系の縦収差図である。図２０は、実施例５に係るズームレンズ系の縦収差図である。図２２は、実施例６に係るズームレンズ系の縦収差図である。図２４は、実施例７に係るズームレンズ系の縦収差図である。
【０１５９】
各縦収差図において、（ａ）は広角端、（ｂ）は中間位置、（ｃ）は望遠端における各収差を表す。各縦収差図は、左側から順に、球面収差、非点収差、歪曲収差を示す。球面収差図において、縦軸はＦナンバーを表し、実線はｄ線、短破線はＦ線、長破線はＣ線の特性である。非点収差図において、縦軸は半画角を表し、実線はサジタル平面（図中、ｓで示す）、破線はメリディオナル平面（図中、ｍで示す）の特性である。歪曲収差図において、縦軸は半画角を表す。
（実施例１）
実施例１のズームレンズ系は、図１１に示した実施の形態６に対応する。実施例１のズームレンズ系のレンズデータを表１に、撮影距離が∞の場合の、焦点距離、Ｆナンバー、画角、光学全長及び可変面間隔データを表２に、非球面データを表３に示す。
【０１６０】
【表１】
2006259685.tif 000004
【０１６１】
【表２】
2006259685.tif 000005
【０１６２】
【表３】
2006259685.tif 000006
（実施例２）
実施例２のズームレンズ系は、図１３に示した実施の形態７に対応する。実施例２のズームレンズ系のレンズデータを表４に、撮影距離が∞の場合の、焦点距離、Ｆナンバー、画角、光学全長及び可変面間隔データを表５に、非球面データを表６に示す。
【０１６３】
【表４】
2006259685.tif 000007
【０１６４】
【表５】
2006259685.tif 000008
【０１６５】
【表６】
2006259685.tif 000009
（実施例３）
実施例３のズームレンズ系は、図１５に示した実施の形態８に対応する。実施例３のズームレンズ系のレンズデータを表７に、撮影距離が∞の場合の、焦点距離、Ｆナンバー、画角、光学全長及び可変面間隔データを表８に、非球面データを表９に示す。
【０１６６】
【表７】
2006259685.tif 000010
【０１６７】
【表８】
2006259685.tif 000011
【０１６８】
【表９】
2006259685.tif 000012
（実施例４）
実施例４のズームレンズ系は、図１７に示した実施の形態９に対応する。実施例４のズームレンズ系のレンズデータを表１０に、撮影距離が∞の場合の、焦点距離、Ｆナンバー、画角、光学全長及び可変面間隔データを表１１に、非球面データを表１２に示す。
【０１６９】
【表１０】
2006259685.tif 000013
【０１７０】
【表１１】
2006259685.tif 000014
【０１７１】
【表１２】
2006259685.tif 000015
（実施例５）
実施例５のズームレンズ系は、図１９に示した実施の形態１０に対応する。実施例５のズームレンズ系のレンズデータを表１３に、撮影距離が∞の場合の、焦点距離、Ｆナンバー、画角、光学全長及び可変面間隔データを表１４に、非球面データを表１５に示す。
【０１７２】
【表１３】
2006259685.tif 000016
【０１７３】
【表１４】
2006259685.tif 000017
【０１７４】
【表１５】
2006259685.tif 000018
（実施例６）
実施例６のズームレンズ系は、図２１に示した実施の形態１１に対応する。実施例６のズームレンズ系のレンズデータを表１６に、撮影距離が∞の場合の、焦点距離、Ｆナンバー、画角、光学全長及び可変面間隔データを表１７に、非球面データを表１８に示す。
【０１７５】
【表１６】
2006259685.tif 000019
【０１７６】
【表１７】
2006259685.tif 000020
【０１７７】
【表１８】
2006259685.tif 000021
（実施例７）
実施例７のズームレンズ系は、図２３に示した実施の形態１２に対応する。実施例７のズームレンズ系のレンズデータを表１９に、撮影距離が∞の場合の、焦点距離、Ｆナンバー、画角、光学全長及び可変面間隔データを表２０に、非球面データを表２１に示す。
【０１７８】
【表１９】
2006259685.tif 000022
【０１７９】
【表２０】
2006259685.tif 000023
【０１８０】
【表２１】
2006259685.tif 000024
以下の表２２に、上述した各条件の対応値を示す。
【０１８１】
【表２２】
2006259685.tif 000025
【産業上の利用可能性】
【０１８２】
本発明に係るレンズ鏡筒及び撮像装置は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求されるカメラに好適である。
【図面の簡単な説明】
【０１８３】
【図１】（ａ）は、実施の形態１に係る撮像装置を適用したカメラの撮像状態の概略構成を示す透過斜視図、（ｂ）は、実施の形態１に係る撮像装置を適用したカメラの収納状態の概略構成を示す透過斜視図
【図２】（ａ）は、実施の形態１の広角端の撮像状態の撮像光学系の配置を示すレンズ配置図、（ｂ）は、実施の形態１の収納状態の撮像光学系の配置を示すレンズ配置図
【図３】（ａ）は、実施の形態１に係る撮像装置の望遠端の撮像状態のレンズ鏡筒の配置を示す断面図、（ｂ）は、実施の形態１に係る撮像装置の広角端の撮像状態のレンズ鏡筒の配置を示す断面図、（ｃ）は、実施の形態１に係る撮像装置の収納状態のレンズ鏡筒の配置を示す断面図
【図４】（ａ）は、実施の形態１の変形例に係る撮像装置を適用したカメラの撮像状態の概略構成を示す透過斜視図、（ｂ）は、実施の形態１の変形例に係る撮像装置を適用したカメラの収納状態の概略構成を示す透過斜視図
【図５】（ａ）は、実施の形態２に係る撮像装置を適用したカメラの撮像状態の概略構成を示す透過斜視図、（ｂ）は、実施の形態２に係る撮像装置を適用したカメラの収納状態の概略構成を示す透過斜視図
【図６】（ａ）は、実施の形態２の広角端の撮像状態の撮像光学系の配置を示すレンズ配置図、（ｂ）は、実施の形態２の収納状態の撮像光学系の配置を示すレンズ配置図
【図７】（ａ）は、実施の形態２に係る撮像装置の望遠端の撮像状態のレンズ鏡筒の配置を示す断面図、（ｂ）は、実施の形態２に係る撮像装置の広角端の撮像状態のレンズ鏡筒の配置を示す断面図、（ｃ）は、実施の形態２に係る撮像装置の収納状態のレンズ鏡筒の配置を示す断面図
【図８】（ａ）は、実施の形態３に係る撮像装置を適用したカメラの撮像状態の概略構成を示す透過斜視図、（ｂ）は、実施の形態３に係る撮像装置を適用したカメラの収納状態の概略構成を示す透過斜視図
【図９】（ａ）は、実施の形態４に係る撮像装置を適用したカメラの撮像状態の概略構成を示す透過斜視図、（ｂ）は、実施の形態４に係る撮像装置を適用したカメラの収納状態の概略構成を示す透過斜視図
【図１０】（ａ）は、実施の形態５に係る撮像装置を適用したカメラの撮像状態の概略構成を示す透過斜視図、（ｂ）は、実施の形態５に係る撮像装置を適用したカメラの収納状態の概略構成を示す透過斜視図
【図１１】（ａ）は、実施の形態６（実施例１）に係るズームレンズ系の広角端の無限遠合焦状態を示すレンズ配置図、（ｂ）は、実施の形態６（実施例１）に係るズームレンズ系の中間位置（中間焦点距離状態）の無限遠合焦状態を示すレンズ配置図、（ｃ）は、実施の形態６（実施例１）に係るズームレンズ系の望遠端の無限遠合焦状態を示すレンズ配置図
【図１２】（ａ）は、実施例１に係るズームレンズ系の広角端の無限遠合焦状態の縦収差図、（ｂ）は、実施例１に係るズームレンズ系の中間位置（中間焦点距離状態）の無限遠合焦状態の縦収差図、（ｃ）は、実施例１に係るズームレンズ系の望遠端の無限遠合焦状態の縦収差図
【図１３】（ａ）は、実施の形態７（実施例２）に係るズームレンズ系の広角端の無限遠合焦状態を示すレンズ配置図、（ｂ）は、実施の形態７（実施例２）に係るズームレンズ系の中間位置（中間焦点距離状態）の無限遠合焦状態を示すレンズ配置図、（ｃ）は、実施の形態７（実施例２）に係るズームレンズ系の望遠端の無限遠合焦状態を示すレンズ配置図
【図１４】（ａ）は、実施例２に係るズームレンズ系の広角端の無限遠合焦状態の縦収差図、（ｂ）は、実施例２に係るズームレンズ系の中間位置（中間焦点距離状態）の無限遠合焦状態の縦収差図、（ｃ）は、実施例２に係るズームレンズ系の望遠端の無限遠合焦状態の縦収差図
【図１５】（ａ）は、実施の形態８（実施例３）に係るズームレンズ系の広角端の無限遠合焦状態を示すレンズ配置図、（ｂ）は、実施の形態８（実施例３）に係るズームレンズ系の中間位置（中間焦点距離状態）の無限遠合焦状態を示すレンズ配置図、（ｃ）は、実施の形態８（実施例３）に係るズームレンズ系の望遠端の無限遠合焦状態を示すレンズ配置図
【図１６】（ａ）は、実施例３に係るズームレンズ系の広角端の無限遠合焦状態の縦収差図、（ｂ）は、実施例３に係るズームレンズ系の中間位置（中間焦点距離状態）の無限遠合焦状態の縦収差図、（ｃ）は、実施例３に係るズームレンズ系の望遠端の無限遠合焦状態の縦収差図
【図１７】（ａ）は、実施の形態９（実施例４）に係るズームレンズ系の広角端の無限遠合焦状態を示すレンズ配置図、（ｂ）は、実施の形態９（実施例４）に係るズームレンズ系の中間位置（中間焦点距離状態）の無限遠合焦状態を示すレンズ配置図、（ｃ）は、実施の形態９（実施例４）に係るズームレンズ系の望遠端の無限遠合焦状態を示すレンズ配置図
【図１８】（ａ）は、実施例４に係るズームレンズ系の広角端の無限遠合焦状態の縦収差図、（ｂ）は、実施例４に係るズームレンズ系の中間位置（中間焦点距離状態）の無限遠合焦状態の縦収差図、（ｃ）は、実施例４に係るズームレンズ系の望遠端の無限遠合焦状態の縦収差図
【図１９】（ａ）は、実施の形態１０（実施例５）に係るズームレンズ系の広角端の無限遠合焦状態を示すレンズ配置図、（ｂ）は、実施の形態１０（実施例５）に係るズームレンズ系の中間位置（中間焦点距離状態）の無限遠合焦状態を示すレンズ配置図、（ｃ）は、実施の形態１０（実施例５）に係るズームレンズ系の望遠端の無限遠合焦状態を示すレンズ配置図
【図２０】（ａ）は、実施例５に係るズームレンズ系の広角端の無限遠合焦状態の縦収差図、（ｂ）は、実施例５に係るズームレンズ系の中間位置（中間焦点距離状態）の無限遠合焦状態の縦収差図、（ｃ）は、実施例５に係るズームレンズ系の望遠端の無限遠合焦状態の縦収差図
【図２１】（ａ）は、実施の形態１１（実施例６）に係るズームレンズ系の広角端の無限遠合焦状態を示すレンズ配置図、（ｂ）は、実施の形態１１（実施例６）に係るズームレンズ系の中間位置（中間焦点距離状態）の無限遠合焦状態を示すレンズ配置図、（ｃ）は、実施の形態１１（実施例６）に係るズームレンズ系の望遠端の無限遠合焦状態を示すレンズ配置図
【図２２】（ａ）は、実施例６に係るズームレンズ系の広角端の無限遠合焦状態の縦収差図、（ｂ）は、実施例６に係るズームレンズ系の中間位置（中間焦点距離状態）の無限遠合焦状態の縦収差図、（ｃ）は、実施例６に係るズームレンズ系の望遠端の無限遠合焦状態の縦収差図
【図２３】（ａ）は、実施の形態１２（実施例７）に係るズームレンズ系の広角端の無限遠合焦状態を示すレンズ配置図、（ｂ）は、実施の形態１２（実施例７）に係るズームレンズ系の中間位置（中間焦点距離状態）の無限遠合焦状態を示すレンズ配置図、（ｃ）は、実施の形態１２（実施例７）に係るズームレンズ系の望遠端の無限遠合焦状態を示すレンズ配置図
【図２４】（ａ）は、実施例７に係るズームレンズ系の広角端の無限遠合焦状態の縦収差図、（ｂ）は、実施例７に係るズームレンズ系の中間位置（中間焦点距離状態）の無限遠合焦状態の縦収差図、（ｃ）は、実施例７に係るズームレンズ系の望遠端の無限遠合焦状態の縦収差図
【符号の説明】
【０１８４】
１  筐体
２  撮像素子
３  シャッターボタン
４  物体側レンズ群
５  反射光学素子
５ａ  反射面
６  像側レンズ群
７  反射光学素子
１０  本体
１１  第１レンズ群保持多段筒
１２  第２レンズ群保持筒
１３  第３レンズ群保持筒
１４  第４レンズ群保持筒
１５  第５レンズ群保持筒
１６ａ  ガイドシャフト
１６ｂ  ガイドシャフト
２１  第１レンズ群保持多段筒
２２  第２レンズ群保持筒
ＡＸ１  光軸
ＡＸ２  光軸
Ｇ１  第１レンズ群
Ｇ２  第２レンズ群
Ｇ３  第３レンズ群
Ｇ４  第４レンズ群
Ｇ５  第５レンズ群
Ｌ１  第１レンズ素子
Ｌ２  第２レンズ素子
Ｌ３  第３レンズ素子
Ｌ４  第４レンズ素子
Ｌ５  反射光学素子
Ｌ６  第６レンズ素子
Ｌ７  第７レンズ素子
Ｌ８  第８レンズ素子
Ｌ９  第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ａ  絞り
Ｐ  平行平板
Ｓ  像面
【図１】
2006259685.tif 000026
【図２】
2006259685.tif 000027
【図３】
2006259685.tif 000028
【図４】
2006259685.tif 000029
【図５】
2006259685.tif 000030
【図６】
2006259685.tif 000031
【図７】
2006259685.tif 000032
【図８】
2006259685.tif 000033
【図９】
2006259685.tif 000034
【図１０】
2006259685.tif 000035
【図１１】
2006259685.tif 000036
【図１２】
2006259685.tif 000037
【図１３】
2006259685.tif 000038
【図１４】
2006259685.tif 000039
【図１５】
2006259685.tif 000040
【図１６】
2006259685.tif 000041
【図１７】
2006259685.tif 000042
【図１８】
2006259685.tif 000043
【図１９】
2006259685.tif 000044
【図２０】
2006259685.tif 000045
【図２１】
2006259685.tif 000046
【図２２】
2006259685.tif 000047
【図２３】
2006259685.tif 000048
【図２４】
2006259685.tif 000049